(57)【要約】【課題】本発明は記録メディア装置に関し、手動で記録メディアを装着するタイプであって、挿入方向の長さが相違する複数種類の記録メディアが装着可能であるようにすることを課題とする。【解決手段】フロントベゼル３０と、上スライダ・コネクタユニット部４０と、下スライダユニット部５０と、圧縮ばね部材６０−１と、上スライダ・コネクタユニット部ロック機構７０と、下スライダユニット部ロック機構８０とを有する。第１の種類の記録メディア１０を挿入した場合には、ガイド溝１５Ｘ１の終端部１５Ｘ１ａがガイドレールピース５２−１を押して、下スライダユニット部５０がＹ１方向に移動されてロック機構８０によってロックされる。第２の種類の記録メディア１０Ａを挿入した場合にも、同様に、ガイド溝１５Ｘ１Ａの終端部１５Ｘ１Ａａによって押されて下スライダユニット部５０がＹ１方向に移動されてロック機構８０によってロックされる。【選択図】        図１
2004295636.tif 000002
【特許請求の範囲】
【請求項１】
コネクタを備えており、挿入方向先端側に端子を有する記録メディアが挿入されて、該記録メディアの端子がコネクタと接続された状態で所定位置まで押し込まれて装着位置に装着される構成の記録メディア装置において、
上記コネクタを有し、押し込まれる上記記録メディアによって押されて移動されるスライダ・コネクタユニット部と、
上記記録メディアが最終位置に到るときに、該記録メディアのうち挿入方向とは反対側の部分によって押されて移動されるスライダユニット部と、
上記スライダ・コネクタユニット部をロックしており、記録メディアの端子がコネクタと接続されたときにロックが解除されるスライダ・コネクタユニット部ロック手段と、
上記移動されたスライダユニット部をロックし、イジェクト操作によってロックが解除されるスライダユニット部ロック手段と、
該スライダユニット部が移動される過程で弾性変形されて、該スライダユニット部を介して記録メディアに押し出す力を付勢するばね部材とを有する構成としたことを特徴とする記録メディア装置。
【請求項２】
コネクタを備えており、挿入方向先端側に端子を有する記録メディアが挿入されて、該記録メディアの端子がコネクタと接続された状態で所定位置まで押し込まれて装着位置に装着される構成の記録メディア装置において、
上記記録メディアは複数の種類を有し、各種類の記録メディアは、該記録メディアの挿入方向とは反対側に寸法形状が同じである共通寸法形状部分を有する構成であり、
該記録メディアを装着位置にロックしており、イジェクト操作によってロックが解除されるロック手段を有し、
該ロック手段は、上記共通寸法形状部分によって動作される構成であるようにしたことを特徴とする記録メディア装置。
【請求項３】
請求項２の記録メディア装置において、
上記各種類の記録メディアは、その側面に挿入方向の先端側から挿入方向とは反対側に向かって形成してあるガイド溝を有し、該ガイド溝の終端の部分が上記共通寸法形状部分である形状であり、
該ロック手段は、該記録メディアのうちガイド溝の終端の部分によって動作される構成としたことを特徴とする記録メディア装置。
【請求項４】
請求項２又は３記載の記録メディア装置において、
該記録メディアが押し込まれて装着位置に到る過程で弾性変形されて、記録メディアに押し出す力を付勢するばね部材を更に有する構成としたことを特徴とする記録メディア装置。
【発明の詳細な説明】
【０００１】
【発明の属する技術分野】
本発明は記録メディア装置に係り、特に、挿入方向の先端側にコネクタ部を有する記録メディアが使用され、この記録メディアを指先で押し込んで装着する構成の記録メディア装置に関する。
【０００２】
【従来の技術】
従来の記録メディアが装着される構成の記録メディア装置は、特定の記録メディアに専用の構成であり、特定の記録メディアとは異なる記録メディアが装着できる構成とはなっていなかった。
【０００３】
【発明が解決しようとする課題】
当初は、上記の特定の記録メディアは一種類だけであったが、近年、種々の用途に応じられるように、記録容量が相違する記録メディアが提供されるようになりつつある。この場合に、新たに提供される記録メディアは、当初の記録メディアとは特定の部分の形状を共通にした設計とされる場合が多い。
【０００４】
従来の構成の記録メディア装置では、記録メディア毎に専用の記録メディア装置を準備する必要があり、利用者の負担が大きく、複数の記録メディアの普及を図る上で障害となってしまう。
【０００５】
そこで、本発明は、上記課題を解決した記録メディア装置を提供することを目的とする。
【０００６】
【課題を解決するための手段】
請求項１の発明は、コネクタを備えており、挿入方向先端側に端子を有する記録メディアが挿入されて、該記録メディアの端子がコネクタと接続された状態で所定位置まで押し込まれて装着位置に装着される構成の記録メディア装置において、
上記コネクタを有し、押し込まれる上記記録メディアによって押されて移動されるスライダ・コネクタユニット部と、
上記記録メディアが最終位置に到るときに、該記録メディアのうち挿入方向とは反対側の部分によって押されて移動されるスライダユニット部と、
上記スライダ・コネクタユニット部をロックしており、記録メディアの端子がコネクタと接続されたときにロックが解除されるスライダ・コネクタユニット部ロック手段と、
上記移動されたスライダユニット部をロックし、イジェクト操作によってロックが解除されるスライダユニット部手段と、
該スライダユニット部が移動される過程で弾性変形されて、該スライダユニット部を介して記録メディアに押し出す力を付勢するばね部材とを有する構成としたものである。
【０００７】
請求項２の発明は、コネクタを備えており、挿入方向先端側に端子を有する記録メディアが挿入されて、該記録メディアの端子がコネクタと接続された状態で所定位置まで押し込まれて装着位置に装着される構成の記録メディア装置において、
上記記録メディアは複数の種類を有し、各種類の記録メディアは、該記録メディアの挿入方向とは反対側に寸法形状が同じである共通寸法形状部分を有する構成であり、
該記録メディアを装着位置にロックしており、イジェクト操作によってロックが解除されるロック手段を有し、
該ロック手段は、上記共通寸法形状部分によって動作される構成であるようにしたものである。
【０００８】
請求項３の発明は、請求項２の記録メディア装置において、
上記各種類の記録メディアは、その側面に挿入方向の先端側から挿入方向とは反対側に向かって形成してあるガイド溝を有し、該ガイド溝の終端の部分が上記共通寸法形状部分である形状であり、
該ロック手段は、該記録メディアのうちガイド溝の終端の部分によって動作される構成としたものである。
【０００９】
請求項４の発明は、請求項２又は３記載の記録メディア装置において、
該記録メディアが押し込まれて装着位置に到る過程で弾性変形されて、記録メディアに押し出す力を付勢するばね部材を更に有する構成としたものである。
【００１０】
【発明の実施の形態】
説明の便宜上、本発明の記録メディア装置に使用される記録メディア１０、１０Ａについて、図５を参照して説明する。
【００１１】
図５（Ａ１）、（Ａ２）は第１の種類の記録メディア１０であり、同図（Ｂ１）、（Ｂ２）は第２の種類の記録メディア１０Ａである。共にカートリッジタイプであり、四角形の板状であり、内部に情報を記録する手段が収容してある構成である。記録メディア１０Ａの記録容量は、記録メディア１０の記録容量より小さい。１１，１１Ａは挿入する方向の先端部であり、１２，１２Ａは基部である。記録メディア１０、１０Ａは、先端部１１，１１Ａに端子が並んでいる構成の同じコネクタ部１３を有し、外形は、幅寸法Ｗが同じであり、長さ寸法Ｌ１は長さ寸法Ｌ２より長く、長さが異なっている。記録メディア１０、１０Ａの側面１４Ｘ２、１４Ｘ１、１４Ｘ２Ａ、１４Ｘ１Ａには、ガイド溝１５Ｘ２、１５Ｘ１、１５Ｘ２Ａ、１５Ｘ１Ａが先端１１，１１Ａから基部１２，１２Ａ側に向かって、基部１２，１２Ａから同じ寸法Ａの位置Ｐまで形成してある。即ち、ガイド溝１５Ｘ２、１５Ｘ２Ａの終端部１５Ｘ２ａ、１５Ｘ２Ａａは、基部１２，１２Ａを基準とすると基部１２，１２Ａに対して同じ位置である。記録メディア１０、１０Ａは、側面１４Ｘ２、１４Ｘ１、１４Ｘ２Ａ、１４Ｘ１Ａのうち基部１２，１２Ａ側の部分１６，１６Ａは同じ形状である。本発明は、この共通の形状部分１６，１６Ａを利用するようにしたものである。記録メディア１０、１０Ａの側面のうち先端部１１，１１Ａの近くに、凹部１７Ｘ１、１７Ｘ２、１７Ｘ１Ａ、１７Ｘ２Ａが形成してある。
【００１２】
次に、本発明の一実施例になる記録メディア装置２０の構成及び動作について概略的に説明する。
【００１３】
図１は本発明の一実施例になる記録メディア装置２０の概略構成を示す。図２は記録メディア装置２０への第１、第２の種類の記録メディア１０、１０Ａの装着を示し、図３は第１の種類の記録メディア１０の装着及び離脱動作を示し、図４は第２の種類の記録メディア１０Ａの装着及び離脱動作を示す。Ｙ１が記録メディア１０を挿入する方向、Ｙ２が記録メディア１０を離脱させる方向、Ｘ１−Ｘ２は記録メディア装置２０の幅方向、Ｙ１−Ｙ２は記録メディア装置２０の奥行き方向、Ｚ１−Ｚ２記録メディア装置２０の高さ方向である。
【００１４】
図１に示すように、記録メディア装置２０は、フロントベゼル３０と、上スライダ・コネクタユニット部４０と、下スライダユニット部５０と、圧縮ばね部材６０−１（６０−２）と、上スライダ・コネクタユニット部ロック機構７０と、下スライダユニット部ロック機構８０と、プランジャソレノイド９０と、プランジャソレノイド駆動回路１００とを有する。
【００１５】
上スライダ・コネクタユニット部４０は、上スライダ板４１と、記録メディア１０、１０Ａのコネクタ部１３が接続されるコネクタ部材４２とを有し、記録メディア未装着状態ではＰ１に位置しており、Ｐ１とＰ２との間で移動する。
【００１６】
下スライダユニット部５０は、下スライダ板５１と、記録メディア１０、１０Ａのガイド溝１５Ｘ１、１５Ｘ１Ａの終端部１５Ｘ１ａ、１５Ｘ１ＡａによってＹ１方向に押されるガイドレールピース５２−１（５２−２）とを有し、記録メディア未装着状態ではＱ１に位置しており、Ｑ１とＱ２との間で移動する。
【００１７】
圧縮ばね部材６０は下スライダユニット部５０をＹ２方向に押す。
【００１８】
上スライダ・コネクタユニット部ロック機構７０は、上スライダ・コネクタユニット部４０をＰ１にロックしており、プランジャソレノイド９０が作動されたときにロックが解除される構成である。
【００１９】
下スライダユニット部ロック機構８０は、Ｑ２に移動された下スライダユニット部５０をロックし、プランジャソレノイド９０が作動されたときにロックが解除される構成である。
【００２０】
プランジャソレノイド駆動回路１００は、インサートスイッチ１０１とイジェクトスイッチ１０２とが並列とされて、電源１０３に接続されている構成である。インサートスイッチ１０１とイジェクトスイッチ１０２とは共にタクトスイッチである。インサートスイッチ１０１がオンとされたとき、或いはイジェクトスイッチ１０２がオンとされたときに、プランジャソレノイド９０が作動される。
【００２１】
第１の種類の記録メディア１０を装着する場合には、操作者は、記録メディア１０を、図２（Ａ）に示すように挿入口３１に挿入し、図３（Ａ）、（Ｂ）に示すように指１１０で基部１２を押して、基部１２が挿入口３１に位置する所定の位置まで押し込む操作を行う。
【００２２】
ロック機構７０によって上スライダ・コネクタユニット部４０はＰ１にロックされているため、コネクタ部１３がコネクタ部材４２に確実に接続される。コネクタ部１３がコネクタ部材４２に接続されると、インサートスイッチ１０１が一時的にオンとされ、プランジャソレノイド９０が一時的に作動され、上スライダ・コネクタユニット部４０のロックが解除され（図３（Ａ）中、二点鎖線参照）、記録メディア１０は更にＹ１方向に移動され、終端部１５Ｘ１ａがガイドレールピース５２−１を押して、下スライダユニット部５０が圧縮ばね部材６０−１を圧縮させつつＹ１方向に移動され、Ｑ２にまで移動されたときにロック機構８０によってロックされる。これによって、記録メディア１０は、図２（Ｂ）、図３（Ｃ）に示すように基部１２が挿入口３１を塞いだ状態で装着される。
【００２３】
情報の記録再生が終了して、記録メディア１０を取り出すには、操作者はイジェクト釦３２を押し、次いで、記録メディア１０の突き出た基部１２側を指１１０で掴んでＹ２方向に引き出す操作を行う。
【００２４】
イジェクト釦３２が押されると、イジェクトスイッチ１０２が一時的にオンとされ、プランジャソレノイド９０が一時的に作動され、下スライダユニット部４０のロックが解除され、下スライダユニット部５０が圧縮ばね部材６０−１によってＹ２方向に元のＱ１まで移動され、記録メディア１０は図３（Ｅ）に示すように基部１２側が挿入口３１から突き出した状態となる。次いで、操作者は記録メディア１０の突き出た基部１２側を指１１０で掴んでＹ２方向に引き出す操作を行う。図３（Ｆ）に示すように、上スライダ・コネクタユニット部４０は元のＰ１まで移動されて停止され、図３（Ｇ）に示すように、コネクタ部１３がコネクタ部材４２から外れて、記録メディア１０が取り出される。
【００２５】
第２の種類の記録メディア１０Ａを使用する場合には、操作者は上記と同じく操作し、記録メディア装置２０は上記と略同じく動作する。
【００２６】
即ち、操作者は、記録メディア１０Ａを、図２（Ａ）に示すように挿入口３１に挿入し、図４（Ａ）、（Ｂ）に示すように指１１０で基部１２Ａを押して、基部１２Ａが挿入口３１に位置する所定の位置まで押し込む操作を行う。
【００２７】
ロック機構７０によって上スライダ・コネクタユニット部４０はＰ１にロックされているため、コネクタ部１３がコネクタ部材４２に確実に接続される。コネクタ部１３がコネクタ部材４２に接続されると、インサートスイッチ１０１が一時的にオンとされ、プランジャソレノイド９０が一時的に作動され、上スライダ・コネクタユニット部４０のロックが解除され（図４（Ａ）中、二点鎖線参照）、記録メディア１０Ａは更にＹ１方向に移動され、終端部１５Ｘ１Ａａがガイドレールピース５２−１を押して、下スライダユニット部５０が圧縮ばね部材６０−１を圧縮させつつＹ１方向に移動され、Ｑ２にまで移動されたときにロック機構８０によってロックされる。これによって、記録メディア１０は、図２（Ｂ）、図４（Ｃ）に示すように基部１２Ａが挿入口３１を塞いだ状態で装着される。
【００２８】
情報の記録再生が終了して、記録メディア１０Ａを取り出すには、操作者はイジェクト釦３２を押し、次いで、記録メディア１０Ａの突き出た基部１２Ａ側を指１１０で掴んでＹ２方向に引き出す操作を行う。
【００２９】
イジェクト釦３２が押されると、イジェクトスイッチ１０２が一時的にオンとされ、プランジャソレノイド９０が一時的に作動され、下スライダユニット部４０のロックが解除され、下スライダユニット部５０が圧縮ばね部材６０−１によってＹ２方向に元のＱ１まで移動され、記録メディア１０は図４（Ｅ）に示すように基部１２Ａ側が挿入口３１から突き出した状態となる。次いで、操作者は記録メディア１０の突き出た基部１２Ａ側を指１１０で掴んでＹ２方向に引き出す操作を行う。図４（Ｆ）に示すように、上スライダ・コネクタユニット部４０は元のＰ１まで移動されて停止され、図４（Ｇ）に示すように、コネクタ部１３がコネクタ部材４２から外れて、記録メディア１０Ａが取り出される。
【００３０】
次に、記録メディア装置２０を具体的に説明する。
【００３１】
図６乃至図８は記録メディアを装着する前の状態を示す。内部の構造を分かり易く示すために、図６及び図８は上カバー及び下カバーを取り外した状態で、図９は更にスライダを取り外した状態で示す。上カバー及び下カバーは後述するフレーム構造体１３５に固定してある。
【００３２】
記録メディア装置２０は、フロントベゼル３０と、リヤ側のフレーム１３０と、リヤ側のプリント基板１３１と、Ｘ１側ガイドレール１３２、Ｘ２側ガイドレール１３３とが四角枠形状のフレーム構造体１３５を構成し、このフレーム構造体１３５に、上スライダ・コネクタユニット部４０と、下スライダユニット部５０と、圧縮ばね部材６０−１、６０−２と、上スライダ・コネクタユニット部ロック機構７０と、下スライダユニット部ロック機構８０と、プランジャソレノイド９０とが取り付けてある構成である。
【００３３】
図６に示すように、上スライダ・コネクタユニット部４０は、ガイドレール１３２、１３３の間に跨る上スライダ板４１と、この上スライダ板４１の下面に固定してあるコネクタ部材４２と、上スライダ板４１の下面の両側に固定してあり、ガイドレール１３２、１３３上に支持されているフック部材４３，４４と、上スライダ板４１の下面に固定してあるインサートスイッチ１０１とよりなる。コネクタ部材４２は、１３２、１３３の間の空間１３８に配置されている。上スライダ板４１には、Ｙ２側に向かって末広の形状の切欠４１ａが形成してある。この切欠４１ａは、Ｙ１側に、Ｌ形状部４１ｂを有する。コネクタ部材４２とプリント基板１３１上のコネクタ１３６とがフレキシブルケーブル１３７でもって接続してある。
【００３４】
図７に示すように、下スライダユニット部５０は、ガイドレール１３２、１３３の間に跨る下スライダ板５１と、ガイドレールピース５２−１、５２−２とよりなる。図９（Ａ）に示すように、ガイドレールピース５２−１は、ガイドレール１３２のうちＹ２側の位置にスライド可能に嵌合してある。５２−１ａは突起部であり、ガイドレール１３２の内側に突き出ており、ガイドレール１３２のレール部１３２ａと整列している。下スライダ板５１の両端部がガイドレールピース５２−１、５２−２に固定してある。図９（Ｂ）はガイドレールピース５２−１がＹ１方向に移動した状態を示す。図７に示すように、下スライダ板５１には、Ｙ１側に向かって末広の形状の切欠５１ａが形成してある。この切欠５１ａは、Ｙ２側に、Ｌ形状部５１ｂを有する。ガイドレールピース５２−１は、ガイドレール１３２に取り付けてある圧縮ばね部材６０−１によってＹ２方向に付勢されている。図８に示すように、ガイドレールピース５２−２は、ガイドレールピース５２−１と同じ形状であり、ガイドレール１３３にスライド可能に支持されており、圧縮ばね部材６０−２によってＹ２方向に付勢されている。
【００３５】
図６及び図８に示すように、上スライダ・コネクタユニット部ロック機構７０は、ロック部材７１と、Ｚ１側からみて略Ｌ字形状であるリンク部材７２と、ロック部材７１とリンク部材７２とを連結するリンク棒７３と、プランジャソレノイド９０とよりなる構成である。ロック部材７１は、軸孔７１ａを上カバー（図示せず）の下面の固定ピン１２０に嵌合して設けてある。リンク部材７２は、軸孔７２ａを上カバー及び下カバー（共に図示せず）間の固定ピン１２１に嵌合して設けてある。プランジャソレノイド９０は、復帰用ばね９１が組み込んである構成であり、下カバー（図示せず）に固定してあり、リンク部材７２と連結してある。図６に示すように、ロック部材７１がＬ形状部５１ｂに係合しており、上スライダ・コネクタユニット部４０はＰ１にロックされており、Ｙ１方向への移動を制限されている。プランジャソレノイド９０が作動されると、リンク部材７２、リンク棒７３を介してロック部材７１が図６中時計方向に回動されてＬ形状部５１ｂから外れてロックが解除される。
【００３６】
図７及び図８に示すように、下スライダユニット部ロック機構８０は、ロック部材８１と、リンク部材７２と、ロック部材８１とリンク部材７２とを連結するリンク棒８３と、プランジャソレノイド９０とよりなる構成である。ロック部材８１は、軸孔８１ａを下カバー（図示せず）の上面の固定ピン１２２に嵌合して設けてある。下スライダユニット部５０がＹ１方向にＱ２まで移動されると、Ｌ形状部５１ｂがロック部材８１と係合して（図１３、図１６参照）、下スライダユニット部５０はロックされ、Ｙ２方向への移動が制限される。プランジャソレノイド９０が作動されると、リンク部材７２、リンク棒７３を介してロック部材８１が図７中時計方向に回動されてＬ形状部５１ｂから外れてロックが解除される。
【００３７】
次に、第１の種類の記録メディア１０を使用する場合について説明する。
【００３８】
操作者が記録メディア１０を挿入すると、ガイド溝１５Ｘ１が突起部５２−１ａ、レール部１３２ａに嵌合し、ガイド溝１５Ｘ２が突起部５２−２ａ、レール部１３３ａに嵌合し、記録メディア１０はＸ１、Ｘ２側をガイドされつつ挿入される。記録メディア１０を強く挿入することによって、図１０及び図１１に示すように、コネクタ部１３がコネクタ部材４２に接続され、記録メディア１０がインサートスイッチ１０１を押しこれが一時的にオンとされ、プランジャソレノイド９０が一時的に作動され、ロック部材７１が回動されてＬ形状部４１ｂから外れて上スライダ・コネクタユニット部４０のロックが解除され、記録メディア１０が上スライダ・コネクタユニット部４０を押しつつ更に挿入され、フック部材４３，４４が夫々凹部１７Ｘ１、１７Ｘ２に係合して記録メディア１０と上スライダ・コネクタユニット部４０とが連結される。
【００３９】
記録メディア１０を押し込む最終の段階で、終端部１５Ｘ１ａ、１５Ｘ２ａが夫々ガイドレールピース５２−１、５２−２を押して、下スライダユニット部５０が圧縮ばね部材６０−１、６０−２を圧縮させつつＹ１方向に移動され、Ｑ２にまで移動されたときにＬ形状部５１ｂがロック部材８１と係合されてロックされる。これによって、記録メディア１０及び記録メディア装置２０は図１２及び図１３に示す状態となり、記録メディア１０はその基部１２が挿入口３１を塞いだ状態で装着される。
【００４０】
情報の記録再生が終了して、操作者がイジェクト釦３２を押すと、イジェクトスイッチ１０２が一時的にオンとされ、プランジャソレノイド９０が一時的に作動され、ロック部材８１が回動されてＬ形状部５１ｂから外れて下スライダユニット部５０のロックが解除され、下スライダユニット部５０が圧縮ばね部材６０−１、６０−２によってＹ２方向に元の位置Ｑ１まで戻される。ガイドレールピース５２−１、５２−２が終端部１５Ｘ１ａ、１５Ｘ２ａを押して記録メディア１０をＹ２方向に移動させ、記録メディア１０とフック部材４３，４４によって連結されている上スライダ・コネクタユニット部４０もＹ２方向に移動される。これによって、図１０及び図１１に示す状態となり、記録メディア１０は基部１２側が挿入口３１から突き出し、且つ、Ｌ形状部４１ｂがロック部材７１と係合して上スライダ・コネクタユニット部４０はロック機構７０によってロックされる。
【００４１】
次いで、操作者は記録メディア１０の突き出た基部１２Ａ側を指１１０で掴んでＹ２方向に引き出す操作を行う。フック部材４３，４４が夫々凹部１７Ｘ１、１７Ｘ２に係合して記録メディア１０と上スライダ・コネクタユニット部４０とが連結されているため、コネクタ部１３がコネクタ部材４２に接続されたまま、図４（Ｆ）に示すように、上スライダ・コネクタユニット部４０は元のＰ１まで移動される。上スライダ・コネクタユニット部４０が元のＰ１にまで戻ると停止され、フック部材４３，４４が夫々凹部１７Ｘ１、１７Ｘ２から抜け出して、図４（Ｇ）に示すように、コネクタ部１３がコネクタ部材４２から外れて、記録メディア１０が取り出される。
【００４２】
次に、第２の種類の記録メディア１０Ａを使用する場合について説明する。
【００４３】
操作者が記録メディア１０Ａをその基部１２Ａを挿入口３１の位置まで挿入すると、前記の記録メディア１０を使用した場合と同じく、コネクタ部１３がコネクタ部材４２に接続され、上スライダ・コネクタユニット部４０のロックが解除され、下スライダユニット部５０がロックされて、記録メディア１０Ａは、図１４、図１５、図１６に示すように装着される。
【００４４】
情報の記録再生が終了して、操作者がイジェクト釦３２を押すと、上記と同じく、下スライダユニット部５０のロックが解除されて元の位置Ｑ１まで戻され、記録メディア１０Ａは基部１２Ａ側が挿入口３１から突き出る。次いで、操作者は記録メディア１０の突き出た基部１２Ａ側を指１１０で掴んでＹ２方向に引き出す操作を行う。コネクタ部１３Ａがコネクタ部材４２から外れて、記録メディア１０Ａが取り出される。
【００４５】
なお、記録メディア１０、１０Ａが装着されている状態で例えば停電となってイジェクト釦３２を操作してもプランジャソレノイド９０が作動しない場合には、操作者は、フロントベゼル３０の孔３３に細いロッドを差し込む。この操作によって、エマージェンシ部材２００が動かされて、リンク部材７２が回動され、下スライダユニット部５０に対するロックが解除され、記録メディア１０、１０Ａは支障なく取り出される。
【００４６】
【発明の効果】
上述の如く、本発明によれば、コネクタを備えており、挿入方向先端側に端子を有する記録メディアが挿入されて、該記録メディアの端子がコネクタと接続された状態で所定位置まで押し込まれて装着位置に装着される構成の記録メディア装置において、上記コネクタを有し、押し込まれる上記記録メディアによって押されて移動されるスライダ・コネクタユニット部と、上記記録メディアが最終位置に到るときに、該記録メディアのうち挿入方向とは反対側の部分によって押されて移動されるスライダユニット部と、上記スライダ・コネクタユニット部をロックしており、記録メディアの端子がコネクタと接続されたときにロックが解除されるスライダ・コネクタユニット部ロック手段と、上記移動されたスライダユニット部をロックし、イジェクト操作によってロックが解除されるスライダユニット部手段と、該スライダユニット部が移動される過程で弾性変形されて、該スライダユニット部を介して記録メディアに押し出す力を付勢するばね部材とを有する構成としたため、操作者が手動で記録メディアを挿入して押し込んで装着する構成の記録メディア装置であって、挿入方向の長さが相違する複数種類の記録メディアに対応することが可能である記録メディア装置を実現することが出来る。
【図面の簡単な説明】
【図１】本発明の一実施例になる記録メディア装置の概略構成を示す図である。
【図２】本発明の一実施例になる記録メディア装置への第１、第２の種類の記録メディアの装着を説明する図である。
【図３】第１の種類の記録メディアの装着及びイジェクトを説明する図である。
【図４】第２の種類の記録メディアの装着及びイジェクトを説明する図である。
【図５】第１、第２の種類の記録メディアを示す図である。
【図６】本発明の一実施例の記録メディア装置の斜視図である。
【図７】図６の記録メディア装置を下方よりみた斜視図である。
【図８】図６の記録メディア装置を、上スライダ及び下スライダを省略した状態で、下方よりみて示す斜視図である。
【図９】ガイドレールピースを示す図である。
【図１０】第１の種類の記録メディアを装着するときの途中の状態を示す図である。
【図１１】図１０に示す状態を下方よりみて示す斜視図である。
【図１２】第１の種類の記録メディアが装着された状態を示す図である。
【図１３】図１２に示す状態を下方よりみて示す斜視図である。
【図１４】第２の種類の記録メディアが装着された状態を示す図である。
【図１５】図１４に示す状態の平面図である。
【図１６】図１４に示す状態の底面図である。
【符号の説明】
１０、１０Ａ  記録メディア
１２，１２Ａ  基部
１３  コネクタ
１５Ｘ１、１５Ｘ２、１５Ｘ１Ａ、１５Ｘ２Ａ  ガイド溝
１５Ｘ１ａ、１５Ｘ２ａ、１５Ｘ１Ａａ、１５Ｘ２Ａａ  終端部
１６，１６Ａ  共通の形状部分
２０  記録メディア装置
３０  フロントベゼル
４０  上スライダ・コネクタユニット部
４１  上スライダ板
４１ｂ  Ｌ形状部
５０  下スライダユニット部
５１  下スライダ板
５１ｂ  Ｌ形状部
６０−１，６０−２  圧縮ばね部材
７０  上スライダ・コネクタユニット部ロック機構
７１，８１  ロック部材
７２  リンク部材
７３，８３  リンク棒
８０  下スライダユニット部ロック機構
９０  プランジャソレノイド
１００  プランジャソレノイド駆動回路
【図１】
2004295636.tif 000003
【図２】
2004295636.tif 000004
【図３】
2004295636.tif 000005
【図４】
2004295636.tif 000006
【図５】
2004295636.tif 000007
【図６】
2004295636.tif 000008
【図７】
2004295636.tif 000009
【図８】
2004295636.tif 000010
【図９】
2004295636.tif 000011
【図１０】
2004295636.tif 000012
【図１１】
2004295636.tif 000013
【図１２】
2004295636.tif 000014
【図１３】
2004295636.tif 000015
【図１４】
2004295636.tif 000016
【図１５】
2004295636.tif 000017
【図１６】
2004295636.tif 000018